(57)【要約】本発明は、データベースによって配信されるコンテンツのテーブルを含むオーディオ−ビジュアルフラックス状のオーディオ−ビジュアルプログラムまたはコンテンツのための検索方法に関する。前記方法は、キーワード、検索テーマ、テレビ放送チャンネル、日付、放送時間のような検索引数の全部または一部の組合せからなるコンテンツによって前記プログラムのための検索基準を確立する段階を具備する。
2004508753.tif 000002
【特許請求の範囲】
【請求項１】
データベースによって配信されるイベントのテーブルを含むオーディオ−ビジュアルフラックス上のオーディオ−ビジュアルプログラムまたはコンテンツのために検索方法であって、
キーワード、検索テーマ、テレビ放送チャンネル、日付、放送時間のような検索引数の全部または一部の組合せからなるプログラムまたはコンテンツに対する検索基準を確立する段階を具備することを特徴とする方法。
【請求項２】
補足的なデータは、前記イベントテーブルに含まれる前記イベントに関連する請求項１記載の方法であって、各イベントに関連する前記補足的なデータに対するキーワードによって、前記検索引数の検索フィールドを拡張する段階を具備することを特徴とする方法。
【請求項３】
マルチメディアコンテンツを具備するデータベースのために、イベントに関連する前記マルチメディアコンテンツは、イベントテーブルに格納されたＵＲＬ−タイプリンクによって選択された前記イベントにリンクされ、イベントテーブルは、前記イベントテーブルを介して、直接アクセスが前記関連したマルチメディアコンテンツに確立されるようにすることを特徴とする請求項１または請求項２記載の方法。
【請求項４】
受信用テープの形式で前記検索基準に基づいて取得された画像を表示する段階と、ユーザが前記画像のユーザ−開始のスクローリングによって前記検索の結果の予備確認及び選択を行えるようにする段階とをさらに具備することを特徴とする請求項１ないし３のうちいずれか１に記載の方法。
【請求項５】
オーディオ−ビジュアルプログラムフラックス上のオーディオ−ビジュアルプログラムまたはコンテンツのための方法であって、
前記テーマ、チャンネル、日付、放送時間タイプのプログラムガイド基準による検索と、オーディオ−ビジュアルプログラムフラックスで前記イベントテーブル放送の異なるフィールドでのキーワードによる検索とを組み合わせる段階を具備し、前記検索のバリューは、インタラクティブリンクを介して接続可能なデータベースの原文コンテンツにアクセスするために、前記イベントテーブルに定義されることを特徴とする方法。
【請求項６】
補足的なデータは、前記イベントテーブルに含まれる前記イベントに関連する請求項５記載の方法であって、各イベントに関連する前記補足的なデータに対するキーワードによって、前記検索引数の検索フィールドを拡張する段階を具備することを特徴とする方法。
【請求項７】
マルチメディアコンテンツを具備するデータベースのために、イベントに関連する前記マルチメディアコンテンツは、直接アクセスが前記イベントテーブルを介して、関連マルチメディアコンテンツに確立されるように、イベントテーブルに格納されたＵＲＬ−タイプリンクによって選択された前記イベントにリンクされることを特徴とする請求項５または請求項６に記載の方法。
【請求項８】
受信用テープの形式で検索基準に基づいて取得される画像を表示する段階と、これらの画像のユーザ−開始のスクローリングによって、前記ユーザが前記検索の結果を予備確認可能なようにする段階とをさらに具備することを特徴とする請求項５ないし７のうちいずれか１に記載の方法。
【発明の詳細な説明】
【０００１】
【発明の属する技術分野】
本発明は、オーディオ−ビジュアルコンテキスト（ｃｏｎｔｅｘｔ）で使用されたマルチメディアアプリケーションの分野に関し、さらに詳細には、例えば、電子プログラムガイドによって、配信されたフラックス（ｆｌｕｘ）内のオーディオ−ビジュアルプログラムおよびコンテンツのための検索方法に関する。また、それは、インターネット−タイプ専用サーバー上のマルチメディアデータのための検索、さらに、いわゆるプログラムデータベースのための検索、及びこれら２つの検索タイプの組合せに関する。
【０００２】
現在の電子プログラムガイドは、大量で継続的に成長するプログラム提供（例えば、１５０衛星テレビ放送チャンネル）を分類する上でほとんど適合しないテーマ／チャンネル／日付／放送時間上の選択によって、通常検索を行う。
【０００３】
キーワードによる検索は、インターネット検索エンジンによって、一般的に使用される機能である。インターネット検索エンジンは、アクセスできないし、それ故に、オーディオ−ビジュアルコンテンツを検索することも、選択することも許可しない。
【０００４】
前記先の技術（１つまたは多数の基準（ｃｒｉｔｅｒｉａ）選択による通常の検索）は、前記プログラム提供が変化に富み、かつ、大量であるとき、十分な選択分類をすることができない。さらに、前記テーマが固定されているときには、前記検索のちょっとしたカスタマイズしか行うことができない。
【０００５】
結局、対話式のチャンネルを使用しないで、前記テレビ放送データのみが使用される。
【０００６】
本発明の１つの目的は、既存の技術を改良し、テレビジョンセット上に表示制約をうまく適合させる最も関連するＴＶセットへの多数の応答を制限し、彼／彼女のプログラム検索をカスタマイズする簡単かつ有効な方法をユーザへ提供し、かつ、補足データを介して配信されたデータの透過的豊富化（ｔｒａｎｓｐａｒｅｎｔ ｅｎｒｉｃｈｍｅｎｔ）のための方法を実行することである。
【０００７】
本発明の他の目的は、以下の機能によって明確な基準に適合するようなオーディオ−ビジュアルコンテンツを選択するための方法を実行することである。以下の機能とは、受信用テープの形式で選択に対応する画像の表示、ユーザの選択をガイドするために有効なテキスト情報の表示、動画シークェンス（予告編（ｔｒａｉｌｅｒｓ））の表示または前記選択されたテレビ放送へのダイレクト接続、オンラインまたはテレビ放送リンクを介してアクセス可能なサマリー（ｓｕｍｍａｒｉｅｓ）、レビュー（ｒｅｖｉｅｗ）、ファイルまたは予告編のようなセカンドレベル情報へのダイレクトアクセスをいう。
【０００８】
【課題を解決するための手段】
本発明の目的でもある、データベースによって配信されるイベント（ｅｖｅｎｔｓ）ＥＩＴ（イベント情報テーブル）のテーブルを含むオーディオ−ビジュアルフラックス上のオーディオ−ビジュアルプログラムまたはコンテンツのための検索方法は、キーワード、検索テーマ、テレビ放送チャンネル、日付、放送時間などの検索引数（ａｒｇｕｍｅｎｔ）の全てまたは一部の組合せからなるプログラムのための検索基準の確立を具備することを特徴とする。
【０００９】
非限定的な方法において、これらのＥＩＴは、特に、“情報技術−動画及び関連したオーディオ勧告Ｈ．２２０．０（システム）の一般的なコーディング”というドキュメントＩＳＯ／ＩＥＣ １３８１８−１と、“ディジタルビデオ放送（ＤＶＢ）−サービス情報”ＤＶＢシステムでのＳＩ“のための仕様書”というドキュメントＥＮ ３００ ４６８と、“ディジタルビデオ放送（ＤＶＢ）−サービス情報の実行及び処理（ｕｓａｇｅ）上でのガイドライン”というドキュメントＥＴＲ２１１とに記載されているＭＰＥＧ２及びＤＶＢ規格によって定義されたサービス情報ＳＩを介して、放送してもよい。これら規格は、本記載では引用によって一部に組込まれている。
【００１０】
好適には、キーワードによる前記検索方法は、テーマ、チャンネル、日付及び放送時間による多数基準（ｍｕｌｔｉｃｒｉｔｅｒｉａ）検索と結び付けられる。本発明の目的を構成する前記方法は、前記テーマ、チャンネル、日付、放送時間タイプのプログラムガイド基準による検索と、オーディオ−ビジュアルプログラムフラックスで前記イベントテーブル放送の異なるフィールドでのキーワードによる検索とを結合することからなることを特徴とする。検索のバリューは、インタラクティブ（双方向の）リンクを介して接続可能なデータベースの原文コンテンツにアクセスするために、前記イベントテーブルに定義される。
【００１１】
前記発明は、前記配信されたフラックスから情報を信号として送信し、かつ、付加的なマルチメディアコンテンツにアクセス可能とすることを基準としたデータベースセットアップ内で、これらのプログラムに関連するオーディオ−ビジュアルプログラムまたはコンテンツに対する検索のために、局所的に使用される。
【００１２】
前記発明は、特に、サービスのプログラムガイドタイプによって統合され、付加的なマルチメディアコンテンツによって、これを質的に向上させる（ｅｎｒｉｃｈ）ために使用することができる。
【００１３】
前記発明の目的を構成する方法は、さらに、前記イベントテーブルに含まれる前記イベントに関連する補足的なデータが、各イベントのための前記補足的なデータに対するキーワードによって、前記検索引数の検索フィールドを拡張することからなることを特徴とする。
【００１４】
また、前記本発明の目的を構成する方法は、マルチメディアコンテンツを具備するデータベースのために、ダイレクトアクセスが前記イベントテーブルを介して、関連するマルチメディアコンテンツに確立されるようなイベントテーブルに格納されたＵＲＬ−タイプリンクによって、イベントに関連する前記マルチメディアコンテンツが選択された前記イベントにリンクされることを特徴とする。
【００１５】
前記本発明の目的を構成する方法は、最終的に、さらに受信用テープの形式で検索基準を基礎として取得される画像を表示し、これらの画像のユーザ−開始（ｕｓｅｒ−ｉｎｉｔｉａｔｅｄ）のスクローリングによって、前記ユーザが前記検索の結果を予備確認可能なようにすることを特徴とする。
【００１６】
前記発明は、オーディオビジュアルコンテンツ（放送プログラムおよび補足的なデータ、すなわち予め格納されたオーディオビジュアルコンテンツ）に対する前記検索に関連する非制限的な例の詳細な記載を読み、かつ、図面を参照することによってさらに理解される。
【００１７】
【発明の実施の形態】
図１を参照すると、プログラムデータベース２は、サーバー１上でセットアップされることが規定される。前記サーバーは、一定の限られた場所でもよいし、または遠隔地にあるようにしてもよい。前記データベース２は、前記オーディオ−ビジュアルコンテンツに関連した情報によって定義された補足的なデータを含んでいる。オーディオビジュアルコンテンツには、画像（放送中での画像キャプチャー）、予告編、レビュー、フィルムデータシート、サマリーなどがある。
【００１８】
前記配信されたフラックス４ＤＶＢ（ディジタルビデオ放送）にある前記情報システムＳＩのイベントテーブルＥＩＴ（イベント情報テーブル）に含まれる前記イベントの配列は、情報により早くアクセス可能とするために、端末３（キャッシュモード）にセットアップされるとともに格納される。
【００１９】
前記ＥＩＴテーブルは、付録１に記載される。
【００２０】
前記ＥＩＴテーブルは、図２を参照すると段階６によって示されるように、放送フラックス信号４内で、周期的な放送となる。段階７は、前記情報システムＳＩから前記ＥＩＴテーブルを取得する。
【００２１】
段階８では、イベントは、段階７で取得された前記ＥＩＴテーブルの様々なフィールドでの名前によって格納される。これは、名前によって索引されるサービスの配列の段階９での記憶を可能とする。段階９は、段階６での前記放送による前記配列のコンテンツをアップデートするために、段階７から段階９まで何度も繰り返すような、段階６に戻るループとされている。
【００２２】
これと並行して、１セットの照会は、各イベントに対して、以下のようなタイプの補足的なデータの可能な存在を決定するために、前記サーバー３を介してアクセス可能な前記プログラムデータベース２に送信される。補足的なデータとしては、１つの画像、１つの予告編または関連したビデオ（または複数）、編集上のコンテンツ（レビュー、サマリー、データシート）がある。
【００２３】
段階１０では、照会は、段階９で格納された配列の前記サービス名に対応する前記プログラム名によって参照される前記マルチメディアコンテンツを決定するために、前記サーバー３に送信される。
【００２４】
次いで、段階１１及び１２では、ユニバーサルリソースロケータ（Ｕｎｉｖｅｒｓａｌ Ｒｅｓｏｕｒｃｅ Ｌｏｃａｔｏｒ）に対するＵＲＬの形式で、リンクが、前記格納されたイベント配列と、前記サーバー内のこれらの補足的なデータのアドレスとの間に作成される。
【００２５】
段階１１では、前記プログラム名に関連する前記コンテンツのアドレスが、ＵＬＲの形式でリターンされる。
【００２６】
段階１２では、前記配列が、前記ＵＲＬに関連することにより、かつ、イベント名を用いて対応コンテンツによってアップデートされる。
【００２７】
段階１３では、前記配列は、前記端末３に格納される。
【００２８】
図３を参照すると、放送チャンネル上のオーディオ−ビジュアルフラックスを送信するための１つの装置１４及びインタラクティブチャンネル上のデータを交換するための１つの装置１５がある。
【００２９】
前記装置１４では、マルチプレクサ１６は、テレビ放送アプリケーション及びテレビプログラムから始まるいくつかのオーディオ−ビジュアルフラックスを、前記入力で受信する。ＱＰＳＫ変調器１７は、前記マルチプレクサ１６の出力で生成されたＤＶＢまたは場合によってはＭＰＥＧ２放送フラックスを、前記入力で受信する。ＳＩマネージャ１８は、イーサネット（登録商標）リンクによって、前記マルチプレクサ１６にアクセスする。前記変調器１７は、段階６を実行するＢＩＳ信号を放送するために設計される。
【００３０】
前記装置１５は、前記サーバー１と前記データベースと前記データベース２とを含んでいる。イーサネット（登録商標）リンクによる前記マネージャ１８との通信において、ＳＩプロトコルマネージャ１９は、前記データベース２からデータを受信する。ファイル転送装置２０は、付加的なコンテンツを前記データベース２に導入させることができる。
【００３１】
前記端末３は、ウエブブラウザ２１、ＤＶＢ／ＭＨＰ受信器２２及びＴＣＰ／ＩＰインターフェース２３を含んでいる。前記ブラウザ２１は、前記受信器２２と前記インターフェース２３とに、ニ方向性でアクセスする。前記ＢＩＳ信号を介して前記オーディオ−ビジュアルフラックスを受信する受信器２２は、前記方法の段階６から９を実行するために使用される。前記インターフェース２３は、段階１０から１３を実行するために、インタラクティブリンク上のサーバー１とインターネットタイプ接続を行うために使用される。
【００３２】
それ故に、前記検索の終わりにおいて、全ての付加的なデータは、この遠隔データの全部を含む前記サーバーを介して容易に接続可能となる。
【００３３】
スクリーンは、以下のような基準のエントリー（ｅｎｔｒｙ）を提供する。
−キーワード（ＩＲキーボード、スピーチインターフェースなどを介して入力される）
−テーマ（ミュージック、ドキュメンタリー、スポーツなど）またはテーマの目的
−テレビ放送チャンネル
−日付
−放送時間
【００３４】
各基準は、任意である。１つまたはそれ以上の選択が各基準（ｃｒｉｔｅｒｉｏｎ）（例えば、週のうちの数日）のために選択できる。
【００３５】
選択のナビゲーション及び確認は、矢印キー（左、右、上、下）及びエンターキーを使用して前記遠隔制御を介して行われる。
【００３６】
キーワードによる前記検索メカニズムの機能的な説明
【００３７】
前記プログラム検索スクリーンの説明
前記検索は、キーワードとして、検索基準すなわち引数、チャンネル、テーマ、日付及び時間で組み合わせることを可能とする。
【００３８】
前記対応スクリーンは、図４に示されている。
【００３９】
１つまたはそれ以上のキーワードは、他の基準の入力によって、または入力なしに、赤外線キーボードから入力することができる。
【００４０】
前記キーワード検索が他の基準の入力なしに行われる場合、これら基準のデフォルト（初期設定）バリューが使用される。
【００４１】
スクリーン上の指示
最初のフォーカス（ｆｏｃｕｓ）は、前記キーワード入力エリア上となる。前記フォーカスの概念は、前記スクリーンの能動的選択エリアまたは能動化される選択エリアのいずれかの明らかな表示変化を含むものである。
【００４２】
前記右及び左の矢印キーを使用することによって、前記フォーカスは、前記検索を始めるために、“Ｃｈａｎｎｅｌ”から、次に“Ｔｈｅｍｅｓ”、次に“Ｄａｙｓ”、次に“Ｔｉｍｅｓ”、そして最後に“Ｅｎｔｅｒ”に移動する。
【００４３】
前記基準（チャンネル、テーマ、日付、時間）の１つを確認することは、この基準に対する可能性があるバリューのリストをアップデートするきっかけとなる。このリストでのナビゲーションは、前記上矢印または下矢印を介して行われる。
【００４４】
これらバリューの１つを能動化または非能動化することは、前記遠隔制御の「ＯＫ」ボタンを使用することで行われる。
【００４５】
“Ｃｈａｎｎｅｌ”基準
前記対応スクリーンは、図４に示されている。
【００４６】
前記ユーザの端末によって受信されたチャンネルのセットが示されている。
【００４７】
数チャンネルが選択されてもよい。前記フォーカスを除去するためには遠隔制御上のＯＫを、それを再セットするには再びＯＫをというように、フォーカスは、選択された各チャンネル名上に位置付けられている。
【００４８】
初期設定によって、チャンネルの全部のセットが考慮される（“全てのチャンネル”バリュー）。
【００４９】
“Ｔｈｅｍｅ”またはテーマの目的基準（ｔｈｅｍａｔｉｃ ｓｕｂｊｅｃｔ ｃｒｉｔｅｒｉｏｎ）
前記対応スクリーンは、図５に示されている。
【００５０】
前記ユーザの端末によって受信されたテーマのセットが示されている。
【００５１】
数テーマが選択されてもよい。前記フォーカスを除去するためには遠隔制御上のＯＫを、それを再セットするには再びＯＫをというように、フォーカスは、選択された各テーマ名上に位置付けられている。
【００５２】
初期設定によって、テーマ上の全部のセットが考慮される（“全てのテーマ”バリュー）。
【００５３】
“Ｄａｙ”基準
前記対応スクリーンは、図６に示されている。
【００５４】
前記スクリーンの説明
提供される選択は、全ての日付（７日）、今日、明日、月曜から日曜までである。
【００５５】
初期設定によって、日付上の全部のセットが考慮される（“全ての日付”バリュー）。
【００５６】
“Ｔｉｍｅ”基準
前記対応スクリーンは、図７に示されている。
【００５７】
前記スクリーンの説明
提供される選択項目は、“ｎｏｗ”、午前２時から始まる３時間ごとに区切られた８つのタイムスロット、Ｎｏｗ（初期設定構成）、午後（５ｐ．ｍ．−８ｐ．ｍ．）、午前（５ａ．ｍ．−８ａ．ｍ．）、午前（８ａ．ｍ．−１１ａ．ｍ）、昼間（１１ａ．ｍ．−２ｐ．ｍ．）、午後（２ｐ．ｍ．−５ｐ．ｍ．）、夕方（５ｐ．ｍ．−８ｐ．ｍ．）、夜（８ｐ．ｍ．−１１ｐ．ｍ．）、夜（１１ｐ．ｍ．−２ａ．ｍ．）、夜（２ａ．ｍ−５ａ．ｍ．）である。
【００５８】
いくつかのタイムスロットが選択されてもよい。フォーカスは、前記フォーカスを除去するためには遠隔制御上のＯＫを、それを再セットするには再びＯＫを、というように選択された各タイムスロット上に位置付けられている。
【００５９】
初期設定によって、日付上の全部のセットが考慮される（“全ての日付”バリュー）。
【００６０】
検索の開始
図４に示される前記検索を開始するために、スクリーン内では、すでに確認された前記１つの基準または複数の基準が、異なるグラフィックスタイルで示される。
【００６１】
前記検索は、基準定義のある段階において開始してもよい。考慮される前記基準は、ユーザによって選択されたもの、または基準が入力されない前記初期設定バリューである。
【００６２】
ユーザ−特定のキーワードによる検索の間、前記端末３は、段階１２で取得された配置内に格納された全てのテキストデータを、前記関連したＵＲＬによって分析する。次いで、前記端末３は、イベントに対応するイベントを表示する。前記イベントの存在は、前記端末３によって実行される前記分析により照合される。
【００６３】
検索結果
前記検索の結果は、タグ（プログラム及び非常に小さい画像上の第１レベルテキスト情報）のリスト形式で表示される。図８に示すように、タグのリストは、受信用テープの形式で表示される。好ましいが、非限定的な表示方法によって、ユーザが、前記画像またはタグをユーザ−開始のスクローリングによって、前記検索の結果の予備確認及び選択をすることができる。前記受信用テープ表示の詳細な説明として、２０００年９月７日に出願された出願番号ＦＲ００１１４０７を参照して使用することができる。
【００６４】
前記スクリーン表示は、選択された１つまたは複数のプログラムを表示する。
【００６５】
クライアントシステムは、前記選択されたプログラムに関係する補足情報にアクセスするために使用される。遠隔制御を使用して以下のことが考えられる。
−プログラムデータシート
−サマリー
−レビュー
−予告編
【００６６】
前記サーバーに対応する照会は、前記選択されたイベントによって格納される前記ＵＲＬを使用する。
【００６７】
前記スクリーン上で、かつ前記プログラム（“ピクチャ・イン・ピクチャ”−ＰＩＰのような）の非常に小さい画像形式での同時表示は、前記遠隔制御上の動作によって発達するプログラムによって可能である。
【００６８】
新しい検索は、このスクリーンから開始してもよい。
【００６９】
前記発明による前記方法及びそれを実行する前記システムは、画像、予告編、フィルムレビューまたはその他のような補足情報にすばやくアクセスするために使用される。端末３で既知とされる前記データベース２内の前記補足情報のアクセスＵＲＬは、前記ユーザによって特定されたオーディオ−ビジュアルプログラムイベントにより、このＵＲＬに関連する前記格納された配列に頼るものとなる。それ故に、前記発明は、従来の紙のテレビガイドよりもさらにテレビ放送に適した代替を提供するとともに、通常の電子ガイドよりもさらに効果的なものである。
【００７０】
付録１
イベントテーブル（イベント情報テーブル，ＥＩＴ）の説明
前記ＥＩＴテーブルは、現在の各多重通信サービス（実際の転送ストリームＥＩＴ）または他の多重通信（他の転送ストリームＥＩＴ）及びこれらイベント（放送の開始及び間、前記イベントに関連したキーワードのリスト）それぞれの特徴に関連するイベント（放送）のリストを提供する。
前記イベントは、Ｏｒｉｇｉｎａｌ＿Ｎｅｔｗｏｒｋ＿ｉｄ／Ｔｒａｎｓｐｏｒｔ＿Ｓｔｒｅａｍ＿ｉｄ／Ｓｅｒｖｉｃｅ＿ｉｄ／Ｅｖｅｎｔ＿ｉｄのような４つ組の識別子によって識別される。
ＥＩＴは、２つのタイプがある。
−進行中での前記イベント及び次のイベント上の情報を提供する現在／次のＥＩＴ　−６４日まで時間間隔幅があるサービスの先のイベントを説明するためのスケジュールＥＩＴ
現実の転送ストリーム現在／次のＥＩＴの存在は、各多重通信で避けられない。
他の転送ストリーム現在／次のＥＩＴの存在及びスケジュール（現実の及び他の転送ストリーム）ＥＩＴは任意である。
前記ＤＶＢ ＳＩ標準ＥＮ ３００ ４６８
イベント情報テーブル（ＥＩＴ）
−ＥＩＴは、イベント名、開始時間、間、ショートイベントキーワード、拡張されたイベントキーワード、コンテンツキーワードなどのような、イベントまたはプログラムに関するデータを含んでいる。
【図面の簡単な説明】
【図１】本発明の目的よるデータベースによって配信されるイベントテーブルを含むオーディオ−ビジュアルフラックス上のオーディオ−ビジュアルプログラムまたはコンテンツを検索する方法の実行コンテキストを図示するネットワーク構造である。
【図２】図１で示したコンテキスト内の本発明の目的を構成する方法を実行するための全ステップのフローチャートである。
【図３】発明の目的を構成する方法の実行システムのブロック図である。
【図４】選択されたテレビ放送チャンネルのような検索テーマ引数からなる検索基準に基づいたプログラムによる検索のためのスクリーンである。
【図５】テーマの目的のような検索テーマ引数からなる検索基準に基づいたプログラムによる検索のためのスクリーンである。
【図６】選択された日付引数からなる検索基準に基づいたプログラムによる検索のためのスクリーンである。
【図７】選択された時間引数からなる検索基準に基づいたプログラムによる検索のためのスクリーンである。
【図８】この表示が優先的であり、限定的でないが、ユーザの注意のために受信用テープの形式で、本発明の目的を構成する方法から取得し、少なくとも１つの選択されたプログラムに関連する画像を見せて、表示するためのスクリーンである。
【符号の説明】
１　サーバー
２　プログラムデータベース
３　端末
１６　マルチプレクサ
１７　ＯＰＳＫ変調器
１８　ＳＩマネージャ
１９　ＳＩプロトコルマネージャ
２０　ファイル転送装置
２１　ウエブブラウザ
２２　ＤＶＢ／ＭＨＰ受信器
２３　ＴＣＰ／ＩＰインターフェース
【図１】
2004508753.tif 000003
【図２】
2004508753.tif 000004
【図３】
2004508753.tif 000005
【国際公開パンフレット】
2004508753.tif 000006
2004508753.tif 000007
2004508753.tif 000008
2004508753.tif 000009
2004508753.tif 000010
2004508753.tif 000011
2004508753.tif 000012
2004508753.tif 000013
2004508753.tif 000014
2004508753.tif 000015
2004508753.tif 000016
2004508753.tif 000017
2004508753.tif 000018
2004508753.tif 000019
2004508753.tif 000020
2004508753.tif 000021
2004508753.tif 000022
2004508753.tif 000023
2004508753.tif 000024
2004508753.tif 000025
2004508753.tif 000026
2004508753.tif 000027
2004508753.tif 000028
【国際調査報告】
2004508753.tif 000029
2004508753.tif 000030
2004508753.tif 000031
2004508753.tif 000032
2004508753.tif 000033
2004508753.tif 000034